(57)【要約】【課題】コマ型ブロックの難沈下特性を最大限有効に発現させ、高い地盤安定化作用が得られる基礎地盤造成方法を提供する。【解決手段】扁平上面盤１２の下部に胴体１１を有し、胴体１１の下部に軸脚１３を有する円形系列又は角形系列のコマ型ブロック１０を単独形成又は複数連結形成して使用し、対象地盤１を軸脚１３の下端レベルに相当する深さまで掘下げ、掘下げ部２の底面３に軸脚１３を直立させてコマ型ブロック１０又は連結コマ型ブロック１００を互いに密接して配置する。このコマ型ブロック１０群又は連結コマ型ブロック１００群の全体を軸脚１３の下端レベルから扁平上面盤１２の上端レベルまで間詰充填材５０によって一体的に包み込む。前記掘下げ部２の外周部に軸脚１３の下端レベルに相当する高さの反力支持壁２０を形成する。【選択図】    図１
2004360176.tif 000002
【特許請求の範囲】
【請求項１】
扁平上面盤１２の下部に胴体１１を有し、胴体１１の下部に軸脚１３を有する円形系列又は角形系列のコマ型ブロック１０を単独形成して使用し、対象地盤１をコマ型ブロック１０の軸脚１３の下端レベルに相当する深さまで掘下げ、該掘下げ部２の底面３に対して軸脚１３を直立させて複数個のコマ型ブロック１０を互いに密接して配置し、コマ型ブロック１０の敷設と併行して、あるいはコマ型ブロック１０の敷設後に前記掘下げ部２の内側空間を砕石等の間詰充填材５０によって軸脚１３の下端レベルから扁平上面盤１２の上端レベルまで置き換え、コマ型ブロック１０と間詰充填材５０が一体となった盤構造を形成するようにした基礎地盤造成方法。
【請求項２】
扁平上面盤１２の下部に胴体１１を有し、胴体１１の下部に軸脚１３を有する円形系列又は角形系列のコマ型ブロック１０を複数単位連結形成してなる連結コマ型ブロック１００を使用し、対象地盤１を連結コマ型ブロック１００の各軸脚１３の下端レベルに相当する深さまで掘下げ、該掘下げ部２の底面３に対して各軸脚１３を直立させて複数個の連結コマ型ブロック１００を密接して配置し、連結コマ型ブロック１００の敷設と併行して、あるいは連結コマ型ブロック１００の敷設後に前記掘下げ部２の内側空間を砕石等の間詰充填材５０によって軸脚１３の下端レベルから扁平上面盤１２の上端レベルまで置き換え、連結コマ型ブロック１００と間詰充填材５０が一体となった盤構造を形成するようにした基礎地盤造成方法。
【請求項３】
前記掘下げ部２の外周部に少なくともコマ型ブロック１０の軸脚１３の下端レベルに相当する高さを有する反力支持壁２０を形成し、反力支持壁２０で包囲された掘下げ部２の内側空間に砕石等の間詰充填材５０を充填したことを特徴とする請求項１に記載の基礎地盤造成方法。
【請求項４】
前記掘下げ部２の外周部に少なくとも連結コマ型ブロック１００の各軸脚１３の下端レベルに相当する高さを有する反力支持壁２０を形成し、反力支持壁２０で包囲された掘下げ部２の内側空間に砕石等の間詰充填材５０を充填したことを特徴とする請求項２の記載の基礎地盤造成方法。
【請求項５】
各コマ型ブロック１０を相互に連結する連繋部材を間詰充填材５０の層内に延在させ、当該連繋部材を間詰充填材５０に絡め係合させてコマ型ブロック１０と間詰充填材５０の一体化を促進させたことを特徴とする請求項１又は請求項３に記載の基礎地盤造成方法。
【請求項６】
各連結コマ型ブロック１００を相互に連結する連繋部材を間詰充填材５０の層内に延在させ、当該連繋部材を間詰充填材５０に絡め係合させて連結コマ型ブロック１００と間詰充填材５０の一体化を促進させたことを特徴とする請求項２又は請求項４に記載の基礎地盤造成方法。
【請求項７】
前記連繋部材を土木用高強度プラスチック網部材によって構成したことを特徴とする請求項５に記載の基礎地盤造成方法。
【請求項８】
前記連繋部材を土木用高強度プラスチック網部材によって構成したことを特徴とする請求項６に記載の基礎地盤造成方法。
【請求項９】
コマ型ブロック１０を上下複数段に敷設するとき、最下層のコマ型ブロック１０の軸脚１３の下端レベルまで地盤１を掘り下げ、コマ型ブロック１０の敷設と併行して、あるいはコマ型ブロック１０の敷設後に間詰充填材５０によって掘下げ部２の内側空間を置き換えるようにしたことを特徴とする請求項１、請求項３、請求項５又は請求項７に記載の基礎地盤造成方法。
【請求項１０】
連結コマ型ブロック１００を上下複数段に敷設するとき、最下層の連結コマ型ブロック１００の各軸脚１３の下端レベルまで地盤１を掘り下げ、連結コマ型ブロック１００の敷設と併行して、あるいは連結コマ型ブロック１００の敷設後に間詰充填材５０によって掘下げ部２の内側空間を置き換えるようにしたことを特徴とする請求項２、請求項４、請求項６又は請求項８に記載の基礎地盤造成方法。
【発明の詳細な説明】
【０００１】
【発明の属する技術分野】本発明は扁平上面盤の下部に円錐形又は角錐形胴体を設け、該胴体の下部中心に円柱形又は角柱形軸脚を設けた地盤安定化用コマ型ブロックを使用する基礎地盤造成方法に関するものである。
【０００２】
【従来の技術】コマ型ブロックは、ブロックそれ自体の重量及びブロックが受ける垂直荷重と、胴体並びに軸脚に生ずる地盤反力及び摩擦抵抗の総合力とを均衡させて、不等沈下のない水平地耐力を発揮させるものであり、各種の地盤安定化や基礎強化工法等において基本構成部材として使用されている。
【０００３】
コマ型ブロックを使用した在来の典型的な基礎地盤造成方法では、対象地盤を胴体の下端レベルに相当する深さまで掘下げ、該掘下げ部の底面に対し軸脚を垂直に突刺すように圧入して複数個のコマ型ブロックを密接して配置し、各コマ型ブロックの軸脚を下部連繋部材によって相互に連結し、各コマ型ブロックの上面盤を上部連繋部材によって相互に連結し、掘下げ部の内側空間を砕石等の間詰充填材によって胴体の下端レベルから上面盤の上端レベルまでに充填している（例えば特許文献１参照）。
【０００４】
前記構成の造成方法は軟弱地盤の改良等において、その有用性は既に広く実証されているところであるが、地盤の状況によっては軸脚を掘下げ部の底面に圧入する作業に難渋することがあり、単なる加圧では軸脚が挿入されないときには、先行的に挿入口を穿つ必要もあった。また、軸脚が垂直に圧入されないときには、コマ型ブロックの本来の難沈下性が有効に発揮されないことになった。
本発明者らは造成工法の改良について、種々の研究開発を続行したところ、対象地盤の掘下げ量を深く設定し、コマ型ブロック群を軸脚下端レベルから上面盤の上端レベルまで間詰充填材で包み込み、コマ型ブロックと間詰充填材が一体化した盤構造にすることが有効であるとの知見を得た。
【０００５】また、掘下げ部の外周部を反力支持壁で包囲し、コマ型ブロックの軸脚先端に至るまで深く形成した間詰充填材層を周辺拘束すること、コマ型ブロックを複数単位連結形成してなる連結コマ型ブロックとして使用すること、コマ型ブロック又は連結コマ型ブロックを相互に連結する土木用高強度プラスチック網部材を間詰充填材層に絡み係合させることの有効性を見出した。
【０００６】
【発明が解決しようとする課題】本発明は前記知見に基づいてなされたものであり、本発明の目的は、軸脚が確実に垂直配置され、難沈下性能が有効に発現するため、地盤安定化作用が強化された基礎地盤造成方法を提供することである。
【０００７】
【課題を解決するための手段】請求項１の発明の基礎地盤造成方法は、扁平上面盤１２の下部に胴体１１を有し、胴体１１の下部に軸脚１３を有する円形系列又は角形系列のコマ型ブロック１０を単独形成して使用し、対象地盤１をコマ型ブロック１０の軸脚１３の下端レベルに相当する深さまで掘下げ、掘下げ部２の底面３に対して軸脚１３を直立させて複数個のコマ型ブロック１０を互いに密接して配置し、コマ型ブロック１０の敷設と併行して、あるいはコマ型ブロック１０の敷設後に前記掘下げ部２の内側空間を砕石等の間詰充填材５０によって軸脚１３の下端レベルから扁平上面盤１２の上端レベルまで置き換え、コマ型ブロック１０と間詰充填材５０が一体となった盤構造を形成するものである。
【０００８】
請求項２の発明の基礎地盤造成方法は、扁平上面盤１２の下部に胴体１１を有し、胴体１１の下部に軸脚１３を有する円形系列又は角形系列のコマ型ブロック１０を複数単位連結形成してなる連結コマ型ブロック１００を使用し、対象地盤１を連結コマ型ブロック１００の各軸脚１３の下端レベルに相当する深さまで掘下げ、該掘下げ部２の底面３に対し各軸脚１３を直立させて複数個の連結コマ型ブロック１００を密接して配置し、連結コマ型ブロック１００の敷設と併行して、あるいは連結コマ型ブロック１００の敷設後に前記掘下げ部２の内側空間を砕石等の間詰充填材５０によって軸脚１３の下端レベルから扁平上面盤１２の上端レベルまで置き換え、連結コマ型ブロック１００と間詰充填材５０が一体となった盤構造を形成するものである。
【０００９】
請求項３の発明の基礎地盤造成方法は、請求項１の発明の前記構成に加えて、前記掘下げ部２の外周部に少なくともコマ型ブロック１０の軸脚１３の下端レベルに相当する高さを有する反力支持壁２０を形成し、反力支持壁２０で包囲された掘下げ部２の内側空間に砕石等の間詰充填材５０を充填するものである。
【００１０】
請求項４の発明の基礎地盤造成方法は、請求項２の発明の前記構成に加えて、前記掘下げ部２の外周部に少なくとも連結コマ型ブロック１００の各軸脚１３の下端レベルに相当する高さを有する反力支持壁２０を形成し、反力支持壁２０で包囲された掘下げ部２の内側空間に砕石等の間詰充填材５０を充填するものである。
【００１１】
請求項５の発明の基礎地盤造成方法は、請求項１又は請求項３の発明の前記構成に加えて、各コマ型ブロック１０を相互に連結する連繋部材を間詰充填材５０の層内に延在させ、当該連繋部材を間詰充填材５０に絡め係合させてコマ型ブロック１０と間詰充填材５０の一体化を促進させるものである。
【００１２】
請求項６の発明の基礎地盤造成方法は、請求項２又は請求項４の発明の前記構成に加えて、各連結コマ型ブロック１００を相互に連結する連繋部材を間詰充填材５０の層内に延在させ、当該連繋部材を間詰充填材５０に絡め係合させて連結コマ型ブロック１００と間詰充填材５０の一体化を促進させたものである。
【００１３】
請求項７の発明の基礎地盤造成方法は、請求項５の発明の前記構成に加えて、前記連繋部材を土木用高強度プラスチック網部材によって構成したものである。
【００１４】
請求項８の発明の基礎地盤造成方法は、請求項６の発明の前記構成に加えて、前記連繋部材を土木用高強度プラスチック網部材によって構成したものである。
【００１５】
請求項９の発明の基礎地盤造成方法は、請求項１、請求項３、請求項５又は請求項７の発明の前記構成に加えて、コマ型ブロック１０を上下複数段に敷設するとき、最下層のコマ型ブロック１０の軸脚１３の下端レベルまで地盤１を掘り下げ、コマ型ブロック１０の敷設と併行して、あるいはコマ型ブロック１０の敷設後に間詰充填材５０によって掘下げ部２の内側空間を置き換えるようにしたものである。
【００１６】
請求項１０の発明の基礎地盤造成方法は、請求項２、請求項４、請求項６又は請求項８の発明の前記構成に加えて、連結コマ型ブロック１００を上下複数段に敷設するとき、最下層の連結コマ型ブロック１００の各軸脚１３の下端レベルまで地盤１を掘り下げ、連結コマ型ブロック１００の敷設と併行して、あるいは連結コマ型ブロック１００の敷設後に間詰充填材５０によって掘下げ部２の内側空間を置き換えるようにしたものである。
【００１７】
上記各請求項の発明において、円形系列のコマ型ブロック１０とは、胴体１１を円錐形とし、扁平上面盤１２を円形とし、軸脚１３を円柱形としたものであり、円とは必ずしも真円に限定されない。また、角形系列のコマ型ブロック１０とは、例えば胴体１１を水平断面が正八角形の角錐形とし、扁平上面盤１２を正八角形とし、軸脚１３を水平断面が正八角形の角柱形としたものであり、その角数は特に限定されない。
【００１８】
前記各請求項の発明において、単独形成とは、胴体１１、扁平上面盤１２及び軸脚１３がそれぞれ１個ずつしかないように製作されることである。また、複数連結形成とは、胴体１１、扁平上面盤１２及び軸脚１３がそれぞれ複数個ずつ横方向に連結された形で製作されることであり、例えば縦横２個ずつの場合は４連型形成といい、縦２個横３個ずつの場合を６連型形成というが、連結単位数はこれらに限定されない。
連結コマ型ブロック１００を構成する各単位のコマ型ブロック１０は、その全てが円形系列である場合と、その全てが角形系列である場合と、円形系列及び角形系列の混在である場合とがある。
【００１９】
コマ型ブロック１０の設置に当っては、円形系列のもの又は角形系列のものだけを使用する場合と、円形系列のものと角形系列のものを混在させて使用する場合がある。また、単独形成のコマ型ブロック１０と連結コマ型ブロック１００だけを使用する場合の他、単独形成のコマ型ブロック１０と連結コマ型ブロック１００を混在させて使用する場合がある。
敷設面積の大部分を連結コマブロック１００で埋めるとき、連結コマ型ブロック１００では余りが出る半端部分や異形隅部に単独形成のコマ型ブロック１０を設置する。
【００２０】
【発明の実施の形態】図１に示した実施例で使用したコマ型ブロック１０は、図２に示したように円形系列の単独形成によるものであり、セメントコンクリート等の常温硬化型の流動性材料をコマ型の型枠に流し込み、養生硬化させることによって製造される。
該型枠には、胴体成形用部分と軸脚成形用部分の中心を通るように連結鉄筋１４が挿入され、連結鉄筋１４の折り曲げた上端部１５は扁平上面盤１２から突出する。該上端部１５はコマ型ブロック１０の運搬時において吊掛部として使用される。
【００２１】
対象地盤１は、土木構造物や建築構造物などの上載物の底面形状にほぼ対応した平面形状に機械力によって所定深さに掘下げられる。対象地盤１の足場が悪いときには必要に応じて砕石を撒き散らしたりシートを敷いて、砕石層またはシート層を掘下げ部２の底面３に形成する。また、石灰を撒布して凝結させることも有効である。
請求項３の発明においては、掘下げ部２の外周部には反力支持壁２０の成形用型枠が組立てられる。この型枠内部には所要の鉄筋組立体が配置され、セメントコンクリートを打ち込むことによって、鉄筋コンクリート製の反力支持壁２０が連続的に構築される。
【００２２】
請求項５の発明においては、コマ型ブロック１０の配置に先行して、下部連繋部材３０が掘下げ部２の底面３と平行に軸脚１３の上端に相当する高さレベルに配置され、適当な支持部材によって固定される。図３に示したように本実施例では、下部連繋部材３０は、扁平上面盤１２の直径に等しい間隔で平行に配置した複数本の縦鉄筋３１と、扁平上面盤１２の直径に等しい間隔で平行に配置した複数本の横鉄筋３２を直角に溶接して成る井桁状の鉄筋組立体であり、縦鉄筋３１と横鉄筋３２の交差部分に斜め鉄筋３３を溶接して三角形区画３４が設けられている。
【００２３】
コマ型ブロック１０の設置は、下部連繋部材３０を位置決め用の定規手段として行われ、三角形区画３４に挿入された軸脚１３は、下端が掘下げ部２の底面に突き当てられる。据え付けたコマ型ブロック１０は、胴体１１の下端外周面が三角形区画３４の三辺をなす縦鉄筋３１と横鉄筋３２と斜め鉄筋３３の各一部に当接することによって垂直姿勢に保持される。
【００２４】
縦横複数列に配置したコマ型ブロック１０群の扁平上面盤１２は、図４に示したように連結鉄筋１４の上端部１５を利用して上部連繋材４０により相互に連結される。図３に示したように上部連繋部材４０は、扁平上面盤１２の直径に等しい間隔で平行に配置した複数本の縦鉄筋４１と、扁平上面盤１２の直径に等しい間隔で平行に配置した複数本の横鉄筋４２を直角に溶接して成る井桁状の鉄筋組立体である。
上部連繋部材４０は縦鉄筋４１と横鉄筋４２の交差部において、連結鉄筋１４の上端部１５に金属線の結束又は溶接によって固定される。
【００２５】
反力支持壁２０によって包囲された掘下げ部２の内部空間であって、コマ型ブロック１０と下部連繋部材３０及び上部連繋部材４０に占められている以外の空間には、礫や砕石等よりなる間詰充填材５０が充填され、人力による突き棒や棒バイブレータ等の機械力によって充分に密実に締固められ、水平に転圧される。
このように相互連結されたコマ型ブロック１０群と間詰充填材５０とが一体となった盤構造よりなる基礎構造の上面には、必要に応じて一定厚さの礫層が設けられ、土木構造物や建築構造物の基礎コンクリートが打設される。
【００２６】
反力支持壁２０の内側面には、コマ型ブロック群のうち最も外側のコマ型ブロックの扁平上面盤１２が当接している。最も外側のコマ型ブロック１０における地盤反力の分力が、反力支持壁２０によって対抗される一方、最も外側のコマ型ブロック以外の内側のコマ型ブロック間では地盤反力の分力が相互に打消し合うため、複数列に配置された各コマ型ブロック１０はいずれも水平方向に流動することなく、当初の直立状態に保持される。
前記実施例における下部連結部材３０、上部連結部材４０としては、鉄筋組立物の代わりに、ジオグリッドと称される土木用高強度プラスチック網部材を使用することもできる。
【００２７】
土木用高強度プラスチック網部材は砕石等の間詰充填材５０と良く馴染んで拘束効果の高いものであり、酸性土やアルカリ性土に対しても安定した性能を示し、地盤中に埋設しても機能の永続性があるものである。これには、例えばポリオレフィを原料として網目状に連続成型されるため品質は一定であり、更に一軸又は二軸方向に適度に延伸することによって必要な強度が付与されるものがある。また、ガラス繊維などの高性能連続繊維を耐蝕性に優れたプラスチック樹脂に含浸させながらグリッド状に一体成形したものもある。
【００２８】
図５から図１０に示した実施例の連結コマ型ブロック１００（Ａ）は、円形系列のコマ型ブロック１０を縦横２個ずつ接続した４連型形成のものであり、セメントコンクリート等の常温硬化型の流動性材料をコマ型の型枠に流し込み、養生硬化させることによって一体に製造される。
前記型枠には、各胴体成形用部分と各軸脚成形用部分の中心を通るように連結鉄筋１４が挿入され、連結鉄筋１４の折り曲げた上端部１５は扁平上面盤１２から突出する。該上端部１５はコマ型ブロック１０の運搬時において吊掛部として使用される。また、各扁平上面盤１２は縦横の水平鉄筋１６によって連結されている。
【００２９】
図１１から図１４に示した実施例の連結コマ型ブロック１００（Ｂ）は、円形系列のコマ型ブロック１０を縦２個横３個に接続した６連型形成のものであり、セメントコンクリート等の常温硬化型の流動性材料をコマ型の型枠に流し込み、養生硬化させることによって一体に製造される。
前記型枠には、各構成単位のコマ型ブロック１０の各胴体成形用部分と各軸脚成形用部分の中心を通るように連結鉄筋１４が挿入され、連結鉄筋１４の折り曲げた上端部１５は扁平上面盤１２から突出する。該上端部１５は連結コマ型ブロック１００（Ａ，Ｂ）の運搬時において吊掛部として使用される。また、各扁平上面盤１２は縦横の水平鉄筋１６によって連結されている。
【００３０】
図１５に示した実施例では、６連型形成の連結コマ型ブロック１００（Ｂ）のみが使用され、図１６に示した実施例では、４連型形成の連結コマ型ブロック１００（Ａ）と６連型形成の連結コマ型ブロック１００（Ｂ）が混在して使用されている。
いずれの実施例においても、対象地盤１は、土木構造物や建築構造物などの上載物の底面形状にほぼ対応した平面形状に機械力によって所定深さに掘下げられる。対象地盤１の足場が悪いときには必要に応じて砕石を撒き散らしたりシートを敷いて、砕石層またはシート層を掘下げ部２の底面３に形成する。また、石灰を撒布して凝結させることも有効である。
請求項４の発明においては、掘下げ部２の外周部には反力支持壁２０の成形用型枠が組立てられる。この型枠内部には所要の鉄筋組立体が配置され、セメントコンクリートを打ち込むことによって、鉄筋コンクリート製の反力支持壁２０が断絶部なしに構築される。
【００３１】
請求項６の発明においては、連結コマ型ブロック１００（Ａ，Ｂ）の配置に先行して、下部連繋部材３０が掘下げ部２の底面３と平行に各軸脚１３の上端に相当する高さレベルに配置され、適当な支持部材によって固定される。図１５と図１６に示した各実施例では、下部連繋部材３０は、前記したジオグリッドと称される土木用高強度プラスチック網部材によって構成されている。
連結コマ型ブロック１００（Ａ，Ｂ）の設置は、下部連繋部材３０を位置決め用の定規手段として行われ、下部連繋部材３０の網目空間に挿入された各軸脚１３は、下端が掘下げ部２の底面に突き当てられる。据え付けた連結コマ型ブロック１００（Ａ，Ｂ）は、複数の軸脚１３の先端が前記掘下げ部底面に支持されることによって垂直姿勢に自立安定する。
【００３２】
縦横に配置した連結コマ型ブロック１００（Ａ，Ｂ）は、図１５及び図１６に示したように連結鉄筋１４の上端部１５を利用して上部連繋部材４０により相互に連結される。この上部連繋部材４０も下部連結部材３０と同様に前記したジオグリッドと称される土木用高強度プラスチック網部材によって構成されている。上部連繋部材４０の網目空間には各扁平上面盤１２の連結鉄筋１４の上端部１５が挿入され、必要に応じて金属線などによって結束固定される。
連結コマ型ブロック１００（Ａ、Ｂ）はそれ自身で自立安定性を有するため、連繋部材は全く使用しないか、上部又は下部の片側だけに使用するようにしてもよい。
【００３３】
反力支持壁２０によって包囲された掘下げ部２の内側空間であって、連結コマ型ブロック１００（Ａ，Ｂ）と下部連繋部材３０又は上部連繋部材４０に占められている以外の空間には、礫や砕石等よりなる間詰充填材５０が充填され、人力による突き棒や棒バイブレータ等の機械力によって充分に密実に締固められる。
このように相互連結された連結コマ型ブロック１００（Ａ，Ｂ）群と間詰充填材５０とが一体化された盤構造よりなる基礎構造の上面には、必要に応じて一定厚さの礫層が設けられ、土木構造物や建築構造物の基礎コンクリートが打設される。
前記反力支持壁２０の内側面には、連結コマ型ブロック１００（Ａ，Ｂ）群のうち最も外側の連結コマ型ブロックの扁平上面盤１２が当接している。
【００３４】
図１７から図２０に示した実施例の連結コマ型ブロック１００（Ａ）は、角形系列のコマ型ブロック１０を縦横２個ずつ接続した４連型形成のものであり、セメントコンクリート等の常温硬化型の流動性材料をコマ型の型枠に流し込み、養生硬化させることによって一体に製造される。
地盤１の軟弱度などの環境条件に応じて、図２１に示したように単独形成としたコマ型ブロックを上下２段に敷設することもでき、図２２に示したように連結コマ型ブロックを上下２段に敷設することもできる。
【００３５】
【発明の効果】以上のように請求項１の発明の基礎地盤造成方法では、扁平上面盤１２の下部に胴体１１を有し、胴体１１の下部に軸脚１３を有する円形系列又は角形系列のコマ型ブロック１０を単独形成して使用し、対象地盤１を軸脚１３の下端レベルに相当する深さまで掘下げ、掘下げ部２の底面３に軸脚１３を突き当てて複数のコマ型ブロック１０を密接して配置するため、掘下げ部底面３を水平に仕上げて置けば、軸脚１３を確実に垂直に配置することができるものであり、胴体１１の中心軸線が垂直に設定された適正配置のコマ型ブロック群の全体を軸脚１３の下端レベルから扁平上面盤１２の上端レベルまで間詰充填材５０で包み込むことによって、上載荷重がコマ型ブロック１０群を介して間詰充填材５０を拘束・圧縮するように、コマ型ブロック１０と間詰充填材５０がコマ型ブロック１０の全高さにおいて高度に一体化された盤構造を形成することになり、コマ型ブロック１０の全高さに及ぶ間詰充填材５０が応力を地盤内に均等に広く分散させ、更に間詰充填材５０と軸脚１３が周辺地盤を拘束して側方流動を抑制するため、前記盤構造全体としての支持力が増加し、沈下抑制効果が確実に高められる。
【００３６】
請求項２の発明の基礎地盤造成方法では、扁平上面盤１２の下部に胴体１１を有し、胴体１１の下部に軸脚１３を有する円形系列又は角形系列のコマ型ブロック１０を複数単位連結形成した連結コマ型ブロック１００を使用し、対象地盤１を各軸脚１３の下端レベルに相当する深さまで掘下げ、掘下げ部２の底面３に各軸脚１３を突き当てて複数の連結コマ型ブロック１００を密接して配置するため、掘下げ部底面３を水平に仕上げて置けば、各軸脚１３を確実に垂直に配置することができるものであり、各胴体１１の中心軸線が垂直に保持された適正配置の連結コマ型ブロック１００群の全体を各軸脚１３の下端レベルから各扁平上面盤１２の上端レベルまで間詰充填材５０で包み込むことによって、上載荷重が連結コマ型ブロック１００群を介して間詰充填材５０を拘束・圧縮するように、連結マ型ブロック１００と間詰充填材５０が連結コマ型ブロック１００の全高さにおいて高度に一体化された盤構造を形成することになり、連結コマ型ブロック１０の全高さに及ぶ間詰充填材５０が応力を地盤内に均等に広く分散させ、更に間詰充填材５０と各軸脚１３が周辺地盤を拘束して側方流動を抑制するため前記盤構造全体としての支持力が増加し、沈下抑制効果が確実に高められる。
大型で重量が重く、それ自身で自立安定性に優れた連結コマ型ブロック１００がブロック群の最も外側に設置されたとき、外方へ広がろうとする地盤反力の分力を的確に受け止めることになり、反力支持壁２０を設置したのと同様な機能を発揮する。
【００３７】
請求項３の発明の基礎地盤造成方法では、前記掘下げ部２の外周部に少なくともコマ型ブロック１０の軸脚１３の下端レベルに相当する高さを有する反力支持壁２０を形成し、該反力支持壁２０で包囲された掘下げ部２の内側空間に砕石等の間詰充填材５０を緻密に充填したので、最も外側のコマ型ブロック１０における地盤反力の分力が反力支持壁２０によって支承され、外方に広がろうとする力が確実に抑え込まれるので、コマ型ブロックの難沈下特性を最大限有効に発現させることができ、より高い地盤安定化作用が得られる。
【００３８】
請求項４の発明の基礎地盤造成方法では、前記したように連結コマ型ブロック１００それ自身が外方に広がろうとする力に対する大きな抵抗要素として働くだけでなく、前記掘下げ部２の外周部に少なくとも連結コマ型ブロック１００の軸脚１３の下端レベルに相当する高さを有する反力支持壁２０を形成し、該反力支持壁２０で包囲された掘下げ部２の内側空間に砕石等の間詰充填材５０を緻密に充填したので、最も外側の連結コマ型ブロック１００における地盤反力の分力が該反力支持壁２０によっても支承されることになり、側方流動が更に的確に抑え込まれるので、連結コマ型ブロック１００の沈下抑制効果が更に確実に発現し、一層高い地盤安定化作用が得られる。
【００３９】
請求項５の発明の基礎地盤造成方法では、各コマ型ブロック１０を相互に連結する連繋部材を間詰充填材５０の層内に延在させ、当該連繋部材を間詰充填材５０に絡め係合させてコマ型ブロック１０と間詰充填材５０の一体化を促進させたこので、更に高い地盤安定化作用が得られる。
【００４０】
請求項６の発明の基礎地盤造成方法では、各連結コマ型ブロック１００を相互に連結する連繋部材を間詰充填材５０の層内に延在させ、当該連繋部材を間詰充填材５０に絡め係合させて連結コマ型ブロック１００と間詰充填材５０の一体化を促進させたこので、更に高い地盤安定化作用が得られる。
【００４１】
請求項７と請求項８の各発明の基礎地盤造成方法においては、前記連繋部材として土木用の高強度プラスチック網部材を使用したので、該網部材よりなる連繋部材は単にコマ型ブロック１０同士又は連結コマ型ブロック１００同士を結するだけでなく、該網部材の網目開口に砕石などの間詰充填材５０が入り込んだり、網目縁部に間詰充填材５０が引掛り係合したり、該網部材が間詰充填材５０同士の間に挟み付けられて網部材と間詰充填材５０間に大きな摩擦抵抗が生じたり、該網部材が間詰充填材５０を捕捉ないし拘束したりして、間詰充填部材５０と連繋部材との間の係止作用が飛躍的に増進させられ、これによって前記盤構造の一体化が一層強化され、より高い地盤安定化作用が永続的に得られる。
【００４２】
請求項９と請求項１０の各発明の基礎地盤造成方法においては、コマ型ブロック１０又は連結コマ型ブロック１００は複数層に敷設され、地盤１の掘下げは最下層のコマ型ブロック又は連結コマ型ブロック１００の軸脚の下端レベルまで行なわれ、その深さまで砕石等の間詰充填材５０による置き換え充填が行なわれるから、相当な軟弱地盤においても必要充分な地盤安定化作用が得られる。
【図面の簡単な説明】
【図１】本発明の一実施例に係る造成方法により造成された基礎地盤の縦断面図である。
【図２】図１の基礎地盤に使用した円形系列で単独形成としたコマ型ブロックの斜視図である。
【図３】図２のコマ型ブロック群と下部連繋部材及び上部連繋部材の斜視図である。
【図４】図１の基礎地盤の平面図であり、上部連繋部材の図示は省略されている。
【図５】本発明の別の実施例における円形系列の４連型形成とした連結コマ型ブロックの平面図である。
【図６】図５の連結コマ型ブロックの底面図である。
【図７】図５の連結コマ型ブロックの正面図である。
【図８】図５のＡ−Ａ線断面図である。
【図９】図５のＢ−Ｂ線断面図である。
【図１０】図５のＣ−Ｃ線断面図である。
【図１１】本発明の他の実施例における円形系列の６連型形成とした連結コマ型ブロックの正面図である。
【図１２】図１１の連結コマ型ブロックの底面図である。
【図１３】図１１の連結コマ型ブロックの右側面図である。
【図１４】図１３のＤ−Ｄ線断面図である。
【図１５】図１１の連結コマ型ブロックの施工例を示す垂直断面図である。
【図１６】図５の連結コマ型ブロックと図１１の連結コマ型ブロックを共に使用した施工例の垂直断面図である
【図１７】本発明の更に他の実施例における角形系列の４連型形成とした連結コマ型ブロックの平面図である。
【図１８】図１７の連結コマ型ブロックの正面図である。
【図１９】図１７の連結コマ型ブロックの底面図である。
【図２０】図１７のＥ−Ｅ線断面図である。
【図２１】単独形成としたコマ型ブロックを上下２段に敷設した一実施例の垂直断面図である。
【図２２】連結コマ型ブロックを上下２段に敷設したときの一実施例の垂直断面図である。
【符号の説明】
１  対象地盤
２  掘下げ部
３  掘下げ部の底面
１０  コマ型ブロック
１１  胴体
１２  扁平上面盤
１３  軸脚
１４  連結鉄筋
１５  折曲げ上端部
１６  水平鉄筋
２０  反力支持壁
３０  下部連繋部材
４０  上部連繋部材
５０  間詰充填材
１００  連結コマ型ブロック
【図１】
2004360176.tif 000003
【図２】
2004360176.tif 000004
【図３】
2004360176.tif 000005
【図４】
2004360176.tif 000006
【図５】
2004360176.tif 000007
【図６】
2004360176.tif 000008
【図７】
2004360176.tif 000009
【図８】
2004360176.tif 000010
【図９】
2004360176.tif 000011
【図１０】
2004360176.tif 000012
【図１１】
2004360176.tif 000013
【図１２】
2004360176.tif 000014
【図１３】
2004360176.tif 000015
【図１４】
2004360176.tif 000016
【図１５】
2004360176.tif 000017
【図１６】
2004360176.tif 000018
【図１７】
2004360176.tif 000019
【図１８】
2004360176.tif 000020
【図１９】
2004360176.tif 000021
【図２０】
2004360176.tif 000022
【図２１】
2004360176.tif 000023
【図２２】
2004360176.tif 000024